【事件の表示】
　特許第３３８５０１６号「画像プリント作成装置およびそれに用いる印刷媒体と記憶媒体の供給セットならびにその製造方法」の請求項１ないし８に係る特許に対する特許異議の申立てについて、次のとおり決定する。
【結　論】
　訂正を認める。
　特許第３３８５０１６号の請求項１に係る特許を維持する。
【理　由】
第１　手続の経緯
　本件出願からの主だった経緯を箇条書きにすると次のとおりである。
・平成１４年３月４日　特許権者により本件出願
・同年１２月２７日　特許第３３８５０１６号として設定登録（請求項１〜８）
・平成１５年９月１０日　特許異議申立人村戸良至より請求項１〜８に係る特許に対して特許異議申立
・同年１５年１２月５日付け　当審にて取消理由を通知
・平成１６年２月１３日　特許権者より意見書及び訂正請求書（後に取り下げ）提出
・同年３月４日付け　当審にて特許異議申立人に対して審尋
・同年４月１４日　特許異議申立人より回答書提出
・平成１７年１０月２５日付け　当審にて再度の取消理由を通知
・同年１１月８日　特許権者より訂正請求書提出
　
第２　訂正の許否の判断
１．訂正の内容
　平成１７年１１月８日付けの訂正請求は以下の訂正事項からなっている。
［訂正事項１］発明の名称を「画像プリント作成装置」と訂正する。
［訂正事項２］訂正前８項あった特許請求の範囲を単一の【請求項１】のみとし、次のように訂正する。
「撮影領域内に存在する使用者を含む被写体を撮影して撮影画像を生成する撮影手段と、
上記撮影画像と入力されたお絵描き画像とを合成する画像合成手段と、
画像合成手段によって合成された合成
、上記撮影手段，画像合成手段およびプリンタを制御する制御装置と
　上記プリンタで使用される印刷媒体とセットで供給される記憶媒体に当該印刷媒体の感度変動情報が記憶され、上記記憶媒体に当該印刷媒体の印刷可能枚数が併せて記憶され、
上記プリンタに上記印刷媒体が装着される一方、
が当該印刷媒体とは別に供されて
　上記読み取られた感度変動情報に基づいてプリンタによる印刷状態が適正になるよう補正する補正手段と、
　上記記憶媒体から読み取られた印刷可能枚数だけ印刷出力を可能として稼動を停止する出力制限手段とを
有し、
上記補正手段は、上記撮影手段，画像合成手段およびプリンタを制御する制御装置に設けられ、プリンタに入力する画像データを補正することにより上記合成画像の印刷状態が適正になるように補正するものであ
［訂正事項３］明細書の段落【０００１】及び【００１５】の「画像プリント作成装置およびそれに用いる印刷媒体と記憶媒体の供給セットならびにその製造方法」との記載を「画像プリント作成装置」と訂正する。
［訂正事項４］明細書の段落【００１６】の記載を「【課題を解決するための手段】
　上記の目的を達成するため、本発明の画像プリント作成装置は、
　撮影領域内に存在する使用者を含む被写体を撮影して撮影画像を生成する撮影手段と、
上記撮影画像と入力されたお絵描き画像とを合成する画像合成手段と、
画像合成手段によって合成された合成
、上記撮影手段，画像合成手段およびプリンタを制御する制御装置と
　上記プリンタで使用される印刷媒体とセットで供給される記憶媒体に当該印刷媒体の感度変動情報が記憶され、上記記憶媒体に当該印刷媒体の印刷可能枚数が併せて記憶され、
上記プリンタに上記印刷媒体が装着される一方、
が当該印刷媒体とは別に供されて
　上記読み取られた感度変動情報に基づいてプリンタによる印刷状態が適正になるよう補正する補正手段と、
　上記記憶媒体から読み取られた印刷可能枚数だけ印刷出力を可能として稼動を停止する出力制限手段とを有
し、
上記補正手段は、上記撮影手段，画像合成手段およびプリンタを制御する制御装置に設けられ、プリンタに入力する画像データを補正することにより上記合成画像の印刷状態が適正になるように補正するものであ
　
２．訂正の目的、新規事項追加の存否及び特許請求の範囲の拡張・変更の有無
　訂正前の請求項１〜８に係る発明及び訂正後の請求項１に係る発明は、すべて「画像プリント作成装置」の発明であるから、訂正事項１，３は、誤記の訂正を目的とするものと認める。
　訂正事項２のうち、補正手段が制御装置に設けられ、プリンタに入力する画像データを補正することにより印刷状態が適正になるよう補正することは、訂正前の請求項６の発明特定事項であったから、訂正後の請求項１は訂正前の請求項６に対応し、訂正前の請求項１〜５，７，８は削除された。訂正事項１は、さらに「撮影画像と入力されたお絵描き画像とを合成する画像合成手段」を有すること、「画像合成手段によって合成された合成画像画像を画像プリントとして印刷出力する」こと、及び「制御装置」が訂正前請求項６記載の「撮影手段やプリンタ」だけでなく「画像合成手段」をも制御することを限定したものであり、これらの訂正は特許請求の範囲の減縮を目的とするものと認める。
　訂正事項２のうち、「上記プリンタに上記印刷媒体が装着される一方、上記記憶媒体が当該印刷媒体とは別に供されて」との事項については、明りようでない記載の釈明を目的とするものと認める。その理由は次のとおりである。
　「印刷媒体」との用語は、通常用紙又はインクリボン等を意味するものであるから、これらを保持する部材は「印刷媒体」に含まれないと解する余地は十分ある。他方、特許異議申立人が提出した特開２０００−３５５１３７号公報（甲第２号証）に、「印刷媒体に記憶手段を設ける」（１頁【要約】欄）、「印刷媒体は、・・・所定の制御データを記憶する記憶手段と・・・を具え」（【請求項１】）、「リボンカートリッジ１１のサプライスプール２１のつば部２１Ａの後面には、それぞれ環状のフレキシブル配線板５１、保護フィルム５２及び保護シート５３を順次一体に積層してなるタグ５０が貼り付けられている。」（段落【００３４】）、「フレキシブル配線板５１の一面には、・・・メモリＩＣチップ５５が実装されている。」（段落【００３５】）及び「メモリＩＣチップ５５には、・・・リボンカートリッジ１１のインクリボン２０（図２）の種別や可能印画枚数及び実印画枚数などのデータが予め格納されたＥＥＰＲＯＭ（Electrically Erasable Programmable ＲＯＭ）６０・・・とが形成されている。」（段落【００３８】）と記載されているところ、同文献では記憶媒体（メモリＩＣチップ５５）はサプライスプールのつば部に設けられており、これをもって「印刷媒体に記憶手段を設ける」と表現しているのだから、ここでの「印刷媒体」との用語は、用紙又はインクリボン等を保持する部材を含む意味で用いられていることが明らかである。そうすると、訂正前請求項１の「上記プリンタで使用される印刷媒体とセットで供給される記憶媒体」との記載だけでは、記憶媒体が用紙又はインクリボン等を保持する部材に設けられた場合を含むのかどうか明らかでなく、記憶媒体が印刷媒体とは別に供されるのかどうかも明らかでない。そこで、特許明細書の発明の詳細な説明を参酌すると、「印刷媒体１５に記録された感度変動情報に基づいて、プリンタ装置内に備えた読取手段と補正手段により印刷品質を一定に保つ方法およびプリンタ装置が考案されている（特開２００１−２６０４０６）。」（段落【００１０】）と記載されているところ、ここに記載の特開２００１−２６０４０６号公報は特許異議申立人が提出した甲第３号証であって、そこには「給紙カセットを装填すると、記録紙パッケージのバーコードから記録紙の製造年月日と各色毎の感度情報がバーコードスキャナー４０で読み出される。」（１頁【要約】欄）及び「収納部材または巻芯等に少なくとも製造時の日付情報と感度情報とが記録された記録紙」（【請求項１】）等の記載があるから、特許明細書では収納部材または巻芯等の用紙保持部材を含める意味で「印刷媒体」との用語を用いていることが明らかである。実施例をみても、「巻芯２６のバーコード２７をバーコードリーダ２８で読み取って、読み取った感度変動情報を自動的に記憶媒体１４に入力して記憶させることが行なわれる。」（段落【００７５】）及び「感度変動情報を読み取った印刷媒体１５と、当該感度変動情報が記憶された記憶媒体１４とが供給セットとして一緒に供給される。」（段落【００７７】）等の記載があるとおり、記憶媒体が印刷媒体とは別に供されることが明らかである。したがって、「上記プリンタに上記印刷媒体が装着される一方、上記記���媒体が当該印刷媒体とは別に供されて」とすることは、「上記プリンタで使用される印刷媒体とセットで供給される記憶媒体」との記載だけでは明りようとはいえない記載を明りようにするものである。
　訂正事項４は訂正事項２に付随するものであるから、訂正事項２と目的は同一である。
　訂正事項１〜４が、願書に添付した明細書若しくは図面に記載した事項の範囲内でされたこと、及び特許請求の範囲を実質上拡張・変更するものでないことは明らかである。
　
３．訂正の許否の判断の結論
　以上のとおり、平成１７年１１月８日付け訂正請求は、平成１５年改正前特許法１２０条の４第２項ただし書き、並びに同条３項で準用する同法１２６条２項及び３項の規定に適合する。よって、訂正を認める。
　
第３　特許異議申立についての判断
１．本件発明の認定
　訂正が認められるから、本件の請求項１に係る発明（以下「本件発明」という。）は、訂正請求書に添付された訂正明細書の特許請求請求の範囲【請求項１】に記載された事項（訂正事項２）によって特定されるものであり、再掲すると次のとおりである。
「撮影領域内に存在する使用者を含む被写体を撮影して撮影画像を生成する撮影手段と、
上記撮影画像と入力されたお絵描き画像とを合成する画像合成手段と、上記画像合成手段によって合成された合成画像を画像プリントとして印刷出力するプリンタと、上記撮影手段，画像合成手段およびプリンタを制御する制御装置とを備えた画像プリント作成装置であって、
　上記プリンタで使用される印刷媒体とセットで供給される記憶媒体に当該印刷媒体の感度変動情報が記憶され、上記記憶媒体に当該印刷媒体の印刷可能枚数が併せて記憶され、上記プリンタに上記印刷媒体が装着される一方、上記記憶媒体が当該印刷媒体とは別に供されて上記感度変動情報および印刷可能枚数を読み取る読取手段と、
　上記読み取られた感度変動情報に基づいてプリンタによる印刷状態が適正になるよう補正する補正手段と、
　上記記憶媒体から読み取られた印刷可能枚数だけ印刷出力を可能として稼動を停止する出力制限手段とを有し、
上記補正手段は、上記撮影手段，画像合成手段およびプリンタを制御する制御装置に設けられ、プリンタに入力する画像データを補正することにより上記合成画像の印刷状態が適正になるように補正するものであることを特徴とする画像プリント作成装置。」
　
２．特許異議申立理由
　特許異議申立人の主張は次のとおりである。
　請求項１〜６（訂正前である。以下省略。）に係る発明は、特開２０００−２３１１５２号公報（甲第１号証）、甲第２号証、甲第３号証、特開２００１−２９７３４２号公報（甲第４号証）及び特開２００１−１８５０７号公報（甲第５号証）に記載の発明に基づいて当業者が発明をすることができた。
　請求項７に係る発明は、甲第１〜第５号証及び特開平５−２８６１６０号公報（甲第６号証）に記載の発明に基づいて当業者が発明をすることができた。
　請求項８に係る発明は、甲第１〜第５号証及び特開平８−７２２７３号公報（甲第７号証）に記載の発明に基づいて当業者が発明をすることができた。
　したがって、請求項１〜８に係る特許は特許法２９条２項の規定に違反してされた特許であるから、平成１５年改正前特許法１１３条２号に該当するものとして取り消されるべきである。
　
３．特許異議申立理由の妥当性の判断
　甲第１号証には、「印刷用紙の属性情報とは、プリカット用紙であるか否か、プリカット用紙であればそのカット形式、光沢紙か否か、光沢紙の品質、サイズ、製造日などの情報である。これらの属性情報は印刷用紙に予め付加しておくことを前提とする。付加の仕方については、被写体画像を印刷する面の裏面または外縁部にバーコードを印刷するとか、複数個からなる微細穴を明けておくなどの方法を採用する。」（段落【０００７】）及び「印刷形式とは、被写体画像をｎ×ｍ個の枠に印刷する様式の他に、光沢紙や普通紙に印刷する際の印刷濃度などを全て包含するものである。」（段落【０００８】）との記載があり、段落【０００７】記載の「属性情報」が本件発明の「感度変動情報」に対応することは認める。しかし、甲第１号証記載の「属性情報」は、「印刷する面の裏面または外縁部にバーコードを印刷するとか、複数個からなる微細穴を明けておくなどの方法」により形成されるのだから、属性情報が付された媒体という意味で「記憶媒体」に当たるものは印刷用紙自体であって「印刷媒体とは別に供され」るものではなく、「印刷媒体とセットで供給される」ものでもない。
　特許異議申立人は「上記プリンタで使用される印刷媒体とセットで供給される記憶媒体に当該印刷媒体の感度変動情報が記憶され」との発明特定事項が、甲第２，３，５号証に記載されていると主張するので検討する（甲第４，６号証は、同発明特定事項が公知又は想到容易であることを立証するために提出された証拠ではないから、同発明特定事項の想到容易性を判断するに当たっては、検討する必要がない。）。
　第２で述べたとおり、本件発明の「記憶媒体」及び「感度補正情報」に相当する甲第２号証記載のものは、「メモリＩＣチップ５５」及び「制御データ」であると認められるところ、「メモリＩＣチップ５５」はサプライスプールのつば部に設けられているのだから、「印刷媒体とは別に供され」るものではなく、「印刷媒体とセットで供給される」ものでもない。
　同じく第２で述べたとおり、甲第３号証記載の「感度情報」は本件発明の「感度補正情報」に相当すると認められるものの、それは収納部材または巻芯等記録紙パッケージにバーコードとして記録されているのだから、本件発明の「記憶媒体」に対応するのは「記録紙パッケージ」であって、「印刷媒体とは別に供され」るものではなく、「印刷媒体とセットで供給される」ものでもない。
　甲第５号証には、「消耗品の一部に電子データによる情報を格納する情報記憶手段を装備」（【請求項１】）、「消耗品情報における該消耗品の適性条件を示すマッチングパラメータに基づいて、該消耗品の特性に対応して各種調整機能を自動的に調整する」（【請求項７】）及び「第１の消耗品である前記インクカートリッジ３」（段落【００３７】）等の記載がある。なるほど、用紙やインクリボン等は「消耗品」の一種であろうし、「インクカートリッジ」も「印刷媒体」といいうるかもしれない。しかし、「情報記憶手段」（本件発明の「記憶媒体」に相当する。）は「消耗品の一部に」装備されるのだから、「印刷媒体とは別に供され」るものではなく、「印刷媒体とセットで供給される」ものでもない。
　以上のとおり、「上記プリンタで使用される印刷媒体とセットで供給される記憶媒体に当該印刷媒体の感度変動情報が記憶され」との発明特定事項が、甲第２，３，５号証に記載されているとの特許異議申立人の主張は誤りというよりない。また、印刷媒体が交換されれば、新たな印刷媒体について新たな感度変動情報を読み取らなければならず、記憶媒体を印刷媒体とは別に供するとの本件発明の発明特定事項を採用するならば、記憶媒体の装着し忘れのおそれもあるのだから、甲第２号証に記載されているように、印刷媒体を装着することにより、同時に記憶媒体も装着する方が、確実に感度変動情報を読み取る上では有利である。そうであるならば、わざわざ記憶媒体を印刷媒体とは別に供するとの発明特定事項に至るためには、現実に同発明特定事項が採用された公知例が存在するか、それとも同発明特定事項を採用する動機がなければならないが、特許異議申立人の提出した証拠からは、上記の意味での公知例の存在を認めることができず、また同発明特定事項を採用する動機があると認めることもできない。
　したがって、本件発明が甲第１〜第５号証記載の発明に基づいて当業者が容易に発明をすることができたと認めることもできない。
　
第４　むすび
　以上によれば、特許異議申立人の主張する理由及び提出した証拠によっては、請求項１に係る特許を取り消すことはできない。
　よって、結論のとおり決定する。
【異議決定日】
平成１７年１１月１８日（２００５．１１．１８）
【訂正の要旨】
審決（決定）の【理由】欄参照。
（５４）【発明の名称】
画像プリント作成装
置
（５７）【特許請求の範囲】
　【請求項１】撮影領域内に存在する使用者を含む被写体を撮影して撮影画像を生成する撮影手段と、
上記撮影画像と入力されたお絵描き画像とを合成する画像合成手段と、
画像合成手段によって合成された合成
、上記撮影手段，画像合成手段およびプリンタを制御する制御装置と
　上記プリンタで使用される印刷媒体とセットで供給される記憶媒体に当該印刷媒体の感度変動情報が記憶され、上記記憶媒体に当該印刷媒体の印刷可能枚数が併せて記憶され、
上記プリンタに上記印刷媒体が装着される一方、
が当該印刷媒体とは別に供されて
　上記読み取られた感度変動情報に基づいてプリンタによる印刷状態が適正になるよう補正する補正手段と、
　上記記憶媒体から読み取られた印刷可能枚数だけ印刷出力を可能として稼動を停止する出力制限手段とを有
し、
上記補正手段は、上記撮影手段，画像合成手段およびプリンタを制御する制御装置に設けられ、プリンタに入力する画像データを補正することにより上記合成画像の印刷状態が適正になるよう補正するものであ
【発明の詳細な説明】
　【０００１】
　【発明の属する技術分野】
　本発明は、主としてゲームセンター等に設置され、硬貨等が投入されることにより使用者を含む被写体を撮影し、得られた撮影画像をプリントして出力する画像プリント作成装
置に
　【０００２】
　【従来の技術】
　近年、ゲームセンター等において、写真を撮影してシールプリント等にする写真自販機が数多く設置されている。このような写真自販機としては、一般に、図９に示すようなものが用いられている。このものは、内部および前面に各種の装置が設けられた筐体１と、上記筐体１の上下から被写体２の背後まで達するように突き出された支柱３とを備えている。
　【０００３】
　そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
　【０００４】
　上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行なうコンピュータ装置７が設けられている。また、上記筐体１の被写体２側には、上記コンピュータ装置７から送信された合成画像等の画像信号を受信して画像を表示するディスプレイ８が設けられている。
　【０００５】
　さらに、上記筐体１の正面には、コンピュータ装置７から送信された画像データを受信し、この画像を印刷媒体１５に印刷するプリンタ９が設けられている。このプリンタ９で印刷された印刷媒体１５は、筐体１の前面に形成された送出口１９から送出されるようになっている。
　【０００６】
　さらに、上記筐体１の前面にはタッチペン１２を備えた操作パネルが設けられ、使用者２が上記タッチペン１２の先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、印刷媒体１５に印刷されるようになっている。
　【０００７】
　【発明が解決しようとする課題】
　しかしながら、プリンタ９やそれに用いる印刷媒体１５の種類によっては、印刷媒体１５の製造時からの経時変化や製造時バラツキ等の要因で、印刷媒体１５の発色や感度等に変動が生じる場合がある。このような発色や感度に変動があると、適正な色調の印刷結果が得られず、赤や音響の特定の原色が本来の色調より強く現れたり、濃度が正常に現れなかったりする不都合が生じることとなる。
　【０００８】
　このような印刷媒体１５の特性変動は、製造されてからの経時変化や製造ロット間のバラツキであることが多いことから、印刷媒体１５といっしょに色調や濃度の補正情報が記載された補正指示書が同梱され、印刷媒体１５の使用前に上記補正指示書にしたがって特性変動を調整することで適正な印刷を実現することができる。
　【０００９】
　ところが、上記補正はプリンタ９の設定等を人手によって調整したり、画像プリント作成装置をメンテナンスモードにして調整したりする必要がある。このため、ゲームセンター等において管理される画像プリント作成装置の場合、印刷媒体１５の消費量も多くて補充も頻繁であることから、煩雑な調整作業を徹底するのが現実的ではなく、上記のような手作業による補正作業はほとんど行なわれていなかったのが実情である。
　【００１０】
　ここで、印刷媒体１５に記録された感度変動情報に基づいて、プリンタ装置内に備えた読取手段と補正手段により印刷品質を一定に保つ方法およびプリンタ装置が考案されている（特開２００１−２６０４０６）。
　【００１１】
　ところが、プリンタ装置に読取手段や補正手段を設けることからプリンタ装置そのもののコストが極めて高くなってしまい、結果的に写真自販機のコストを引き上げてしまう。また、コストだけでなく、流通等を含む他の要因により上記プリンタ装置を写真自販機に適用できない場合も現実には少なからず生じてくる。
　【００１２】
　しかも、上記プリンタ装置では、補正手段がプリンタ装置に内蔵されたものであり、写真自販機として求められる印刷品質に対応した補正が容易に行なえない。例えば、写真自販機としては、肌色が健康的に見えるような色調で印刷を行ないたいというような特有のニーズがあるが、上記プリンタ装置では標準的な補正を行なうに留まり、上述したようなニーズに合わせた補正は行なえない。
　【００１３】
　一方、従来の写真自販機では、装置の供給元の利益を確保するため、店舗が独自に入手した印刷媒体の使用を制限することが行なわれることが多い。このような印刷媒体をプロテクトする方法としては、印刷媒体そのものにプロテクト情報を持たせる方法と、プロテクト情報を記憶媒体に持たせ、装置に上記記憶媒体の読取装置を設けるとともに、印刷媒体と記憶媒体をセットで供給する方法がある。
　【００１４】
　記憶媒体を用いた印刷媒体のプロテクトは、記憶媒体に印刷可能枚数が記憶され、この記憶媒体が装置に装着されることを条件として印刷が可能となっており、１枚印刷することに上記印刷可能枚数が１枚ずつ減るようになっている。このように、上記記憶媒体は、印刷媒体のプロテクトのためにだけ用いられてきた。
　【００１５】
　本発明は、このような事情に鑑みなされたもので、供給する印刷媒体の特性に応じて自動的に印刷状態を適正に補正しうる画像プリント作成装
置の
　【００１６】
　【課題を解決するための手段】
　上記の目的を達成するため、本発明の画像プリント作成装置は、
　撮影領域内に存在する使用者を含む被写体を撮影して撮影画像を生成する撮影手段と、
上記撮影画像と入力されたお絵描き画像とを合成する画像合成手段と、
画像合成手段によって合成された合成
、上記撮影手段，画像合成手段およびプリンタを制御する制御装置と
　上記プリンタで使用される印刷媒体とセットで供給される記憶媒体に当該印刷媒体の感度変動情報が記憶され、上記記憶媒体に当該印刷媒体の印刷可能枚数が併せて記憶され、
上記プリンタに上記印刷媒体が装着される一方、
が当該印刷媒体とは別に供されて
　上記読み取られた感度変動情報に基づいてプリンタによる印刷状態が適正になるよう補正する補正手段と、
　上記記憶媒体から読み取られた印刷可能枚数だけ印刷出力を可能として稼動を停止する出力制限手段とを有
し、
上記補正手段は、上記撮影手段，画像合成手段およびプリンタを制御する制御装置に設けられ、プリンタに入力する画像データを補正することにより上記合成画像の印刷状態が適正になるよう補正するものであ
　【００１７】
　すなわち、本発明の画像プリント作成装置は、上記プリンタで使用される印刷媒体の感度変動情報が記憶された記憶媒体の上記感度変動情報を読み取る読取手段と、上記読み取られた感度変動情報に基づいてプリンタによる印刷状態が適正になるよう補正する補正手段とを有している。このため、供給された印刷媒体に感度の変動があったとしても、上記感度変動情報を記憶媒体から読み取ってプリンタによる印刷状態が適正になるよう補正できる。したがって、印刷媒体が製造時から期間が経過して感度に経時変化が現れたり製造ロットごとの感度バラツキがあったりしても適正な印刷を実現でき、従来のように色調や濃度が正常に現れないという不都合が発生しない。しかも、印刷状態の補正を自動的に行なえることから、従来のようにプリンタの設定を人手によって調整したり、画像プリント作成装置自体をメンテナンスモードにして調整したりするような手作業による補正作業の必要がなくなる。
　【００１８】
　本発明の画像プリント作成装置において、上記感度変動情報が印刷媒体の製造時バラツキに対応したものである場合には、例えば製造ロットごとの感度バラツキを適正に補正できる。例えば、製造ロットごとに感度バラツキが生じ、印刷媒体におけるＹ（イエロー），Ｍ（マゼンタ），Ｃ（シアン）の各色に対応して基準値に比べてどの色を強くあるいは弱く発色させるかという補正値が製造ロットごとに生じる場合、感度変動情報として上記補正値を記憶媒体に記憶させておき、それに基づいて適正な印刷に補正できる。
　【００１９】
　本発明の画像プリント作成装置において、上記感度変動情報が印刷媒体の製造時からの経時変化に対応したものである場合には、製造時から期間が経過して印刷媒体の感度に経時変化が現れても適正に補正できる。例えば、製造日からの経過時間によって感度バラツキが生じ、印刷媒体におけるＹ（イエロー），Ｍ（マゼンタ），Ｃ（シアン）の各色に対応して基準値に比べてどの色を強くあるいは弱く発色させるかという補正値が経過時間に応じて生じる場合、感度変動情報として上記補正値を記憶媒体に記憶させておき、それに基づいて適正な印刷に補正できる。あるいは、感度変動情報として上記製造日を記憶媒体に記憶させておき、製造日からの経過時間を算出してそれに基づいて適正な印刷に補正できる。
　【００２０】
　本発明の画像プリント作成装置において、上記感度変動情報が補正手段に対する補正指示情報である場合には、補正指示情報を読み取って直接補正することができる。上記補正指示情報とは、例えば、印刷媒体におけるＹ（イエロー），Ｍ（マゼンタ），Ｃ（シアン）の各色に対応して基準値に比べてどの色を強くあるいは弱く発色させるかという補正値の情報である。
　【００２１】
　本発明の画像プリント作成装置において、上記補正手段がプリンタに設けられ、読取手段から入力された補正指示情報に基づいた補正により印刷状態が適正になるよう補正するものである場合には、補正手段を備えたプリンタに対して補正指示情報を直接入力することにより適正な印刷を実現できる。この場合において、上記補正手段による補正は、例えば、印刷媒体におけるＹ（イエロー），Ｍ（マゼンタ），Ｃ（シアン）の各色に対応して基準値に比べてどの色を強くあるいは弱く発色させるかという補正値の情報が補正指示情報として入力された場合に、プリンタの印刷ヘッドの駆動条件等を変更して上記補正を実現することにより行なうことができる。
　【００２２】
　本発明の画像プリント作成装置において、上記補正手段が撮影手段やプリンタを制御する制御装置に設けられ、プリンタに入力する画像データを補正することにより印刷状態が適正になるよう補正するものである場合には、補正手段をもたないプリンタを用いた場合でも、感度変動情報に応じてプリンタに入力する画像データを補正することにより、適正な補正を実現できる。例えば、印刷媒体におけるＹ（イエロー），Ｍ（マゼンタ），Ｃ（シアン）の各色に対応して基準値に比べてどの色を強くあるいは弱く発色させるかという補正値の情報を感度変動情報として記憶媒体から読み取った場合、ＹＭＣ系の補正値を画像データで用いられるＲＧＢ系における補正値に換算し、上記換算後の補正値による補正がなされたＲＧＢ系の画像データをプリンタに入力することにより適正な印刷を実現することができる。
　【００２３】
　本発明の画像プリント作成装置において、上記補正手段による補正が、濃度補正とカラーバランス補正のうち少なくともいずれかを含む場合には、濃度補正やカラーバランスを適正に補正した印刷を実現できる。
　【００２４】
　本発明の画像プリント作成装置において、上記プリンタがサーモオートクローム方式のものである場合には、サーモオートクローム方式のプリンタで用いられる印刷媒体において、印刷媒体の製造時からの経時変化による感度変動や、製造ロットごとの感度バラツキが発生しやすいことから本発明の効果が顕著で効果的である。
　【００２５】
　本発明の画像プリント作成装置において、上記記憶媒体が当該記憶媒体とセットで供給される印刷媒体の印刷可能枚数が併せて記憶されたものであり、上記記憶媒体から読み取られた印刷可能枚数だけ印刷出力を可能として稼動を停止する出力制限手段を備えている場合には、上記記憶媒体を、セットで供給される印刷媒体の感度変動情報だけでなく、当該印刷媒体の印刷可能枚数を記憶させ、上記印刷可能枚数だけ印刷出力を可能として稼動を停止することにより、感度変動情報を持たない印刷媒体が画像プリント装置で使用されるのを防止できる。この結果、印刷媒体の感度変動に対する補正が行なわれないままプリントが印刷出力されるのが防止され、色調や濃度が正常に現れないプリントの出力を確実に防止できる。このように、ゲームセンター等が独自に入手した印刷媒体が使用されるのを防止でき、確実に適正な印刷出力を行なうことができる。
　【００２６】
　また、本発明の印刷媒体と記憶媒体の供給セットは、撮影領域内に存在する使用者を含む被写体を撮影して撮影画像を生成する撮影手段と、上記撮影画像を画像プリントとして印刷出力するプリンタと、上記プリンタで使用される印刷媒体の情報を記憶媒体から読み取る読取手段とを備えた画像プリント作成装置に供給される印刷媒体と記憶媒体の供給セットであって、上記記憶媒体には、上記プリンタによる印刷状態が適正になるよう補正するための印刷媒体の感度変動情報が記憶され、上記記憶媒体に当該印刷媒体の印刷可能枚数が併せて記憶されていることを要旨とする。
　【００２７】
　このため、供給された印刷媒体に感度の変動があったとしても、上記感度変動情報を記憶媒体から読み取ってプリンタによる印刷状態が適正になるよう補正できる。したがって、印刷媒体が製造から期間が経過して感度に経時変化が現れたり製造ロットごとの感度バラツキがあったりしても適正な印刷を実現でき、従来のように色調や濃度が正常に現れないという不都合が発生しない。しかも、印刷状態の補正を自動的に行なえることから、従来のようにプリンタの設定を人手によって調整したり、画像プリント作成装置自体をメンテナンスモードにして調整したりするような手作業による補正作業の必要がなくなる。また、この場合において、印刷媒体と記憶媒体とが同梱されている場合、配送や移動・保管等の際に印刷媒体と記憶媒体とがバラバラにならず、取り違え等のトラブルが防止され、管理も容易になる。
　【００２８】
　また、この場合において、上記記憶媒体が当該記憶媒体とセットで供給される印刷媒体の印刷可能枚数が併せて記憶されたものであり、画像プリント作成装置として、記憶媒体から読み取られた印刷可能枚数だけ印刷出力を可能として稼動を停止する出力制限手段を備えたものを使用した場合には、上記記憶媒体に対し、セットで供給される印刷媒体の感度変動情報だけでなく、当該印刷媒体の印刷可能枚数を記憶させ、上記印刷可能枚数だけ印刷出力を可能として稼動を停止することにより、感度変動情報を持たない印刷媒体が画像プリント装置で使用されるのを防止できる。この結果、印刷媒体の感度変動に対する補正が行なわれないままプリントが印刷出力されるのが防止され、色調や濃度が正常に現れないプリントの出力を確実に防止できる。このように、ゲームセンター等が独自に入手した印刷媒体が使用されるのを防止でき、確実に適正な印刷出力を行なうことができる。
　【００２９】
　また、本発明の印刷媒体と記憶媒体の供給セットの製造方法は、撮影領域内に存在する使用者を含む被写体を撮影して撮影画像を生成する撮影手段と、上記撮影画像を画像プリントとして印刷出力するプリンタと、上記プリンタで使用される印刷媒体の情報を記憶媒体から読み取る読取手段とを備えた画像プリント作成装置に供給される印刷媒体と記憶媒体の供給セットの製造方法であって、上記記憶媒体に、上記プリンタによる印刷状態が適正になるよう補正するための印刷媒体の感度変動情報を記憶させるとともに、上記記憶媒体に当該印刷媒体の印刷可能枚数を併せて記憶させることを要旨とする。
　【００３０】
　このため、上記感度変動情報に応じてプリンタによる印刷状態を適正に補正しうる印刷媒体と記憶媒体の供給セットを容易に得ることができる。
　【００３１】
　本発明の印刷媒体と記憶媒体の供給セットの製造方法において、印刷媒体の感度変動情報を、印刷媒体に付属する補正指示情報に基づいて上記記憶媒体に記憶させる場合には、印刷媒体に付属する補正指示情報に基づいて適正な補正指示情報を記憶させ、適正な補正結果を得ることができる。
　【００３２】
　本発明の印刷媒体と記憶媒体の供給セットの製造方法において、印刷媒体の感度変動情報を、印刷媒体，その収納部材，巻芯等に、バーコードや磁気で記録された補正指示情報を読み取って、この読み取った補正指示情報に基づいて上記記憶媒体に記憶させる場合には、バーコードから読み取った補正指示情報を記憶媒体に記憶させる作業を自動的に行なえる。
　【００３３】
　本発明の印刷媒体と記憶媒体の供給セットの製造方法において、印刷媒体をサンプル印刷し、その印刷結果から補正指示情報を決定し、決定した補正指示情報を記憶媒体に記憶させるようにした場合には、実際の印字サンプルから補正指示情報を決定できるため、より細やかで適切な補正が実現できる。また、例えば「肌色が綺麗に見えるような印刷結果が欲しい」というような細かなニーズに応じた補正指示情報を記憶媒体に記憶させ、印刷結果に反映することができる。
　【００３４】
　【発明の実施の形態】
　つぎに、本発明の実施の形態を詳しく説明する。
　【００３５】
　図１および図２は、本発明の画像プリント作成装置を写真自販機に適用した一実施の形態を示す図である。
　【００３６】
　上記画像プリント作成装置は、内部および前面に各種の装置が設けられた筐体１と、上記筐体１の上下から被写体２の背後まで達するように突き出された支柱３とを備え、上記両支柱３の先端部分に被写体２の後部に位置する後壁１３が設けられている。上記後壁１３の被写体２側には、撮影の際にバックとなるカーテン５が吊設されている。以下、筐体１の被写体２側を筐体１の「前」、その反対側を「後」、被写体２から見て右側を筐体１の「右」、その反対側を「左」という。
　【００３７】
　また、筐体１の前面には、対価としての硬貨を投入する硬貨投入口２０が設けられ、筐体１内部の硬貨投入口２０に隣接した位置に、投入された硬貨を検出して筐体１内部に設けられたコンピュータ装置７に対して検出信号を送信する硬貨検出部１７が設けられている。上記硬貨検出部１７で硬貨の投入が検知されると、後述する撮影プレイやお絵描きプレイ等の処理が開始される。また、筐体１前面の適所には、コンピュータ装置７から音声信号を受信して操作指示メッセージやＢＧＭ等の音声を出力するスピーカ（図示せず）が設けられている。
　【００３８】
　上記筐体１，支柱３，後壁１３およびカーテン５で囲まれた空間が、被写体２の撮影用ブースを形成している。上側の支柱３には、撮影用ブース内の被写体２を照射する蛍光灯等のライト４が取り付けられている。
　【００３９】
　上記筐体１の内部には、被写体２を撮影するカメラ６が設けられ、このカメラ６の前側には透明板１０が嵌め込まれている。上記カメラ６は、被写体を撮影してその動画を生成しうるものであり、具体的にはデジタルビデオカメラやビデオカメラ等が用いられる。すなわち、上記カメラ６は被写体２を撮影するものであり、内部に光の強さを電荷の量（電圧）に変換するＣＣＤを有し、アナログ値である電圧をＡ／Ｄコンバータ等でデジタル値に変換し、その変換された値を画像の輝度（レベル）とするようになっている。また、上記ＣＣＤにはカラーフィルタがかぶせられ、ＲＧＢそれぞれの輝度を得るようになっている。また、上記カメラ６は、所定のシャッタタイミングで被写体２の静止画としての撮影画像を撮影するようになっている。さらに、上記筐体１には、上記カメラ６によるシャッタタイミングと同調して被写体２に閃光を照射するストロボ１１が設けられている。
　【００４０】
　また、上記筐体１の内部には、上記カメラ６から画像データを受信して画像合成等の処理を行なうコンピュータ装置７が設けられ、上記筐体１の前部には、上記コンピュータ装置７から送信された撮影画像や合成画像等の画像信号を受信して画像を表示する第１および第２ディスプレイ８ａ，８ｂが設けられている。
　【００４１】
　上記第２ディスプレイ８ｂは、カメラ６に視線を合わせて撮影を行なう被写体２から目視されやすいようカメラ６の近傍に設けられている。上記第２ディスプレイ８ｂにはＣＲＴモニタや液晶ディスプレイ等が用いられ、カメラ６で撮像されている動画としての撮像映像をリアルタイムに表示して、撮影の際の表情やポーズあるいはフレーミング等を確認しうるようになっている。
　【００４２】
　このようにすることにより、リアルタイム表示される動画を見ながら、動きを含めたポーズや構図の確認を行なうことができ、例えば、ピッチングフォームやダンス等の一連の動作を行ないながらのポーズ決定等に便利である。また、上記第２ディスプレイ８ｂには、カメラ６で撮影された静止画としての撮影画像も表示され、使用者２にプレビュー確認させうるようになっている。
　【００４３】
　上記第１ディスプレイ８ａは、被写体２に向かって画面が斜め上を向くよう左右に２つ並べて設けられている。この第１ディスプレイ８ａには、カメラ６で撮影された複数の静止画である撮影画像を表示して、撮影画像の表情やポーズあるいはフレーミング等をプレビュー確認しうるようになっている。
　【００４４】
　上記第１ディスプレイ８ａには表面にタッチパネル等の入力部３５（図３参照）を有した液晶タブレット等が用いられ、２つの第１ディスプレイ８ａそれぞれにタッチペン１２が１つずつ付属して操作パネルを兼ねている。すなわち、上記第１ディスプレイ８ａには操作指示とともに各種の操作ボタン等が表示され、上記操作指示に従って、第１ディスプレイ８ａに表示された操作ボタンをタッチペン１２の先端でタップ（軽く触れる）等することにより、タッチパネルに各種の操作信号が入力され、上記操作信号がコンピュータ装置７に送られてシャッタ操作等の各種の操作が行なわれるようになっている。
　【００４５】
　また、上記タッチペン１２は、その先端を第１ディスプレイ８ａの表面に接触させて文字や図形等を描いて入力しうるようになっており、手書き入力された文字・図形やスタンプ画像等のお絵描き画像が、コンピュータ装置７においてカメラ６で撮影された被写体２の撮影画像と合成され、第１ディスプレイ８ａに表示されるとともに、その合成画像が印刷媒体１５に印刷されるようになっている。
　【００４６】
　上記画像プリント作成装置では、２つの第１ディスプレイ８ａそれぞれにタッチペン１２が１つずつ備えられ、複数人でプレイする際に複数の使用者２がペン入力画像を入力等する際に２つの画面でお絵描き操作ができてみんなが満足のいくプレイを楽しむことができる。なお、タッチペン１２を１つの第１ディスプレイ８ａに対して複数ずつ付属させ、１つの第１ディスプレイ８ａに対して複数のタッチペン１２で入力操作を行ないうるようにすることもできる。
　【００４７】
　さらに、上記筐体１の内部には、上記コンピュータ装置７から送信された合成画像等の画像データを受信し、この画像を画像プリントとして印刷媒体１５に印刷出力するプリンタ９が設けられている。このプリンタ９で印刷された印刷媒体１５は、筐体１の前面に形成された送出口１９から送出される。
　【００４８】
　そして、この画像プリント作成装置には、上記プリンタ９で使用される印刷媒体１５の感度変動情報が記憶された記憶媒体１４がセットされ、その記憶媒体１４から感度変動情報を読み取る読取手段１６が設けられている。上記読取手段１６で読み取られた感度変動情報はコンピュータ装置７に送られて、当該感度変動情報に基づいて、プリンタ９に設けられた補正手段１８によりプリンタ９による印刷状態が適正になるよう補正するようになっている。
　【００４９】
　この画像プリント作成装置では、上記プリンタ９として、サーモオートクローム方式のものが用いられている。サーモオートクローム方式のプリンタで用いられる印刷媒体１５は、基材の表面に、Ｙ（イエロー）を感熱発色させるＹ発色層と、Ｍ（マゼンタ）を感熱発色させるＭ発色層と、Ｃ（シアン）を感熱発色させるＣ発色層の３層の発色層が設けられ、それぞれの発色層が感熱発色することによりカラー印刷が実現される。
　【００５０】
　ところが、上記サーモオートクローム方式の印刷媒体１５には、印刷媒体１５の製造時からの経時変化による感度変動や、製造ロットごとの感度バラツキが発生しやすい。このような感度変動や感度バラツキが生じた場合、同じ画像データを用いて印刷を行なったとしても、濃度やカラーバランスに変化が生じて適正な印刷結果が得られない。
　【００５１】
　本発明では、印刷媒体１５におけるＹ（イエロー），Ｍ（マゼンタ），Ｃ（シアン）の各色に対応して基準値に比べてどの色を強くあるいは弱く発色させるかという補正値等の感度変動情報を記憶媒体１４に記憶させておき、当該記憶媒体１４と印刷媒体１５とをセットで画像プリント作成装置に供給する。そして、上記印刷媒体１５をプリンタ９に装着するときに、記録媒体１４を読取手段１６に挿入し、上記感度変動情報を読み取って、それに基づいて適正な印刷を行なうよう補正でき、適正な印刷結果が得られるのである。
　【００５２】
　感度情報を読み取るタイミングは、印刷媒体１５をプリンタ９に装着した時点でもよいが、装置の起動時や印刷動作開始の直前でもよい。このようにすることにより、印刷媒体１５を装着してから日数が経過したときでも、それに応じた適正な補正が実現できる。
　【００５３】
　また、印刷媒体１５の装着日時をコンピュータ装置７で記憶しておき、印刷時に上記記憶された装着日時と、記憶媒体１４から読み取った感度変動情報との差から新たな補正値を演算することもできる。このようにすることにより、印刷媒体１５の梱包開封から実際に印刷されるまでの期間を反映した補正が可能となり、より細やかで適切な補正が実現できる。
　【００５４】
　上記記憶媒体１４に記憶された補正情報は、ＹＭＣ系の補正値以外に、印刷媒体１５の製造時の情報（例えば、製造日，製造ロット番号，製造工場，製造時の温湿度等）や、ＹＭＣ系で利用されるクロ，ライトシアン，ライトマゼンダ，ダークイエローや、ＲＧＢ、色相，彩度，明度，コントラスト等、画像を補正しうるものであれば特に限定するものではない。
　【００５５】
　つぎに、上記コンピュータ装置７を含むシステム構成について詳しく説明する。
　【００５６】
　上記コンピュータ装置７は、カメラ６やプリンタ７を制御する制御装置として機能するもので、図３に示すように、上記コンピュータ装置７は、タッチペン１２により第１ディスプレイ８ａにおける入力部３５に入力された各種の操作信号を受信し、受信した操作信号に応じて各種制御を行なう制御手段３１を備えている。上記制御手段３１は、硬貨検出部１７からの検出信号を受信することにより、撮影プレイ等の制御を開始するようになっている。
　【００５７】
　上記第１ディスプレイ８ａには、タッチペン１２によって手書き画像等のお絵描き画像や操作信号が入力される入力部３５と、画像等を表示する表示部３６とが設けられている。上記入力部３５としては例えばタッチパネル等が用いられ、上記表示部３６としては例えば液晶表示装置が用いられる。
　【００５８】
　上記タッチペン１２によって入力された操作信号は、制御手段３１に送られ、シャッタ操作等の各種制御が行なわれる。また、上記タッチペン１２で入力された手書き画像等のお絵描き画像は、後述するように画像合成手段３８に送られ、ここでカメラ６で撮影された静止画である撮影画像との合成処理が行なわれる。
　【００５９】
　カメラ６で撮影された静止画としての撮影画像は、第１ディスプレイ８ａの表示部３６に表示されて使用者２に対してお絵描きプレイ前のプレビュー確認等をさせるようになっている。そして、第１ディスプレイ８ａには、プレビューを確認させた静止画像について撮りなおしを希望するか否かの選択を促す画面を表示し、使用者２が撮りなおしを希望する場合は、タッチペン１２でキャンセル操作を行なって再度シャッタ操作を行ないうるようになっている。
　【００６０】
　さらに、上記コンピュータ装置７には画像合成手段３８が設けられ、カメラ６で撮影された撮影画像に、タッチペン１２によってディスプレイ８ａの入力部３５に入力された文字や図形等の手書き画像等を合成するようになっている。上記画像合成手段３８で合成された合成画像は、第１ディスプレイ８ａの表示部３６にお絵描きの進行にしたがってリアルタイム表示される。
　【００６１】
　また、上記コンピュータ装置７は、プリンタ９による印刷を制御する印刷制御部３４を備えている。この印刷制御部３４は、上記合成画像の画像データ等をプリンタ９に送り、所定のシートレイアウトにより印刷媒体１５に合成画像を印刷するよう制御する。
　【００６２】
　さらに、上記コンピュータ装置７は、読取手段１６で記憶媒体１４から読み取られた各種の情報を受信して後述する出力枚数の制限やプリンタ９における印刷状態の補正等のための処理を行なうようになっている。
　【００６３】
　上記記憶媒体１４は、印刷媒体１５とセットで画像プリント作成装置に供給されるものであり、セットで供給される印刷媒体１５の感度変動情報や印刷可能枚数等の情報が記憶されている。
　【００６４】
　上記感度変動情報は、印刷媒体１５が印刷される際に適正な印刷を実現し得る基準の状態からの感度変動に関する情報である。上記感度変動情報としては、例えば、印刷媒体の製造時バラツキに対応したものや、印刷媒体の製造時からの経時変化に対応したもの等があげられる。
　【００６５】
　すなわち、製造時バラツキにより感度変動が生じた場合、製造ロットごとに印刷媒体におけるＹ（イエロー），Ｍ（マゼンタ），Ｃ（シアン）の各色に対応して基準値に比べてどの色を強くあるいは弱く発色させるかという補正指示情報である補正値が製造ロットごとに生じる。
　【００６６】
　この場合、感度変動情報としてその印刷媒体１５の製造ロットに応じた補正値を記憶媒体１４に記憶しておいてそれを読取手段１６で読み取り、読み取った補正値を印刷制御部３４を介して画像データとともにプリンタ９に入力する。プリンタ９では、入力された画像データと補正値に基づいて補正手段１８により濃度補正やカラーバランス補正を行い、印刷状態が適正になるよう補正する。
　【００６７】
　また、製造日からの経過時間によって感度バラツキが生じた場合、印刷媒体１５におけるＹ（イエロー），Ｍ（マゼンタ），Ｃ（シアン）の各色に対応して基準値に比べてどの色を強くあるいは弱く発色させるかという補正指示情報である補正値が経過時間に対応して変化する。
　【００６８】
　この場合、感度変動情報として上記補正値を記憶媒体１４に記憶しておいてそれを読取手段１６で読み取り、読み取った補正値を印刷制御部３４を介して画像データとともにプリンタ９に入力する。プリンタ９では、入力された画像データと補正値に基づいて補正手段１８により濃度補正やカラーバランス補正を行い、印刷状態が適正になるよう補正する。
　【００６９】
　あるいは、実際に印刷媒体１５が製造されてから使用されるまでの経過時間は、印刷媒体１５の保管期間等によって必ずしも一定しないことから、感度変動情報として製造年月日を記憶媒体１４に記憶しておくことも有効である。そして、コンピュータ装置７には、読取手段１６で読み取られた製造年月日を受信して、印刷媒体１５がプリンタ９に装着された現時点の年月日と対比して製造日からの経過時間を演算するとともに、経過時間と補正値とのテーブルから補正値を換算する補正条件演算部３２が設けられる。
　【００７０】
　そして、演算された補正値を印刷制御部３４を介して画像データとともにプリンタ９に入力する。プリンタ９では、入力された画像データと補正値に基づいて補正手段１８により濃度補正やカラーバランス補正を行い、印刷状態が適正になるよう補正する。
　【００７１】
　一方、上記記憶媒体１４には、当該記憶媒体１４とセットで供給される印刷媒体１５の印刷可能枚数が併せて記憶されている。そして、上記コンピュータ装置７には、記憶媒体１４に記憶され読取手段１６で読み取られた印刷可能枚数を受信して印刷制御部３４による出力枚数を制限し、印刷可能枚数だけ印刷出力を可能として稼動を停止する出力枚数制限部３３が設けられている。上記記憶媒体１４に記憶された印刷可能枚数は、１枚印刷出力される毎に１枚ずつ減ぜられる。
　【００７２】
　このように、記憶媒体１４に、セットで供給される印刷媒体１５の印刷可能枚数を記憶させ、上記印刷可能枚数だけ印刷出力を可能として稼動を停止することにより、感度変動情報を持たない印刷媒体１５が画像プリント装置で使用されるのを防止できる。この結果、印刷媒体１５の感度変動に対する補正が行なわれないままプリントが印刷出力されるのが防止され、色調や濃度が正常に現れないプリントの出力を確実に防止でき、ゲームセンター等が独自に入手した印刷媒体１５が使用されるのを防止でき、確実に適正な印刷出力を行なうことができる。
　【００７３】
　ここで、上記記憶媒体１４としては、各種のものを適用することができるが、非接触型のＩＣカードやコイン型ＩＣチップ等を好適に用いることができる。例えば、基盤となるシリコンウェハ全体に精密鋳造により均一厚さの精密アンテナを直接実装したもの（日立マクセル社製コイル・オン・チップＲＦＩＤシステム）を用いることができる。このものによれば、アンテナ接続工程がないため、接点劣化や機械的ストレスによる不良障害がなく、偽造も困難であるため、ゲームセンターが独自に入手した印刷媒体１５が使用されるのを有効に防止し、本発明の画像プリント作成装置の記憶媒体１４として好適である。
　【００７４】
　上述したように、上記画像プリント作成装置では、印刷媒体１５と記憶媒体１４とがセットにされ、供給セットとして供給される。
　【００７５】
　上記供給セットは、例えば、つぎのようにしてつくることができる。すなわち、図４（ａ）に示すように、印刷媒体１５が巻芯２６にロール状に巻き取られたロール紙の場合、印刷媒体１５の製造年月日や補正値等の感度変動情報が、巻芯２６の端面にバーコード２７で記録されていることがある。この場合、上記巻芯２６のバーコード２７をバーコードリーダ２８で読み取って、読み取った感度変動情報を自動的に記憶媒体１４に入力して記憶させることが行なわれる。
　【００７６】
　また、図４（ｂ）に示すように、印刷媒体１５が巻芯２６にロール状に巻き取られたロール紙であり、印刷媒体１５の製造年月日や補正値等の感度変動情報が、巻き取られた印刷媒体１５の端部近傍にバーコード２７で記録されていることがある。この場合、上記バーコード２７をバーコードリーダ２８で読み取って、読み取った感度変動情報を自動的に記憶媒体１４に入力して記憶させることが行なわれる。
　【００７７】
　そして、感度変動情報を読み取った印刷媒体１５と、当該感度変動情報が記憶された記憶媒体１４とが供給セットとして一緒に供給される。
　【００７８】
　なお、上述した例では、印刷媒体１５や巻芯２６にバーコード２７で感度変動情報が記録された例を示したが、これに限定するものではなく、印刷媒体１５の収納箱や収納袋等のパッケージ類等にバーコード２７で記録するようにしてもよいし、バーコード２７だけでなく磁気で記録するようにしてもよい。
　【００７９】
　また、上記供給セットのつくりかたとしては、上述したものに限定するものではなく、例えば、印刷媒体１５に付属する補正指示書に記載された補正指示情報に基づいてキーボード等の入力装置を用いてデータ入力し、記憶媒体１４に記憶させることもできるし、印刷媒体１５の感度変動情報が巻き取られた印刷媒体１５の端部近傍に補正指示書のように記載され、この補正指示情報に基づいてキーボード等の入力装置を用いてデータ入力し、記憶媒体１４に記憶させることもできる。
　【００８０】
　さらに、上記供給セットのつくりかたとして、印刷媒体１５をサンプル印刷し、その印刷結果から補正指示情報を決定し、決定した補正指示情報を記憶媒体に記憶させるようにしてもよい。このようにすることにより、実際の印字サンプルから補正指示情報を決定できるため、より細やかで適切な補正が実現できる。また、例えば「肌色が綺麗に見えるような印刷結果が欲しい」というような細かなニーズに応じた補正指示情報を記憶媒体１４に記憶させ、印刷結果に反映することができる。
　【００８１】
　つぎに、上記画像プリント作成装置の動作の一例について説明する。
　【００８２】
　まず、第１および第２ディスプレイ８ａ，８ｂにデモ画面が表示されているなか、使用者２が硬貨投入口２０に必要なコインを投入すると、カメラ６による被写体２の撮像と撮像された動画の第２ディスプレイ８ｂへのリアルタイム表示が開始される。
　【００８３】
　つぎに、使用者２が第２ディスプレイ８ｂの表示画像を見ながら被写体２の位置やポーズを決めた後に、タッチペン１２を用いて画面の指示に従ってシャッタ操作の操作信号を入力したり、所定のカウントダウン後に自動シャッタを切ったりすることにより、所定の瞬間の撮像映像が静止画として記録される。
　【００８４】
　ついで、カウンタ（図示せず）で所定の撮影回数に達しているか否かが確認され、規定の撮影回数に達していなければ撮影ステップに戻り、カウントが所定の撮影回数に達するまで撮影が繰り返される。
　【００８５】
　一方、所定の撮影回数に達していれば、手書き画像２３等を入力するお絵描きプレイが開始される。このお絵描きプレイでは、固定された静止画像を第１ディスプレイ８ａの表示部３６に表示して、タッチペン１２を操作することによる手書き画像２３等の入力が開始される。ここで、手書き画像２３の入力画面の一例を図５に示す。この手書き画像入力画面において、２１ａ，２１ｂ，２１ｃは、それぞれ手書きペン，スタンプ画像，アルファベット等の文字を入力する際にタッチペン１２でタップするアイコンである。
　【００８６】
　手書き画像２３を入力する際には、手書きペンのアイコン２１ａをタッチペン１２の先端でタップしてから、タッチペン１２の先端を、第１ディスプレイ８ａに表示された撮影画像２２の上に接触させて絵や文字を描くことにより、手書き画像２３の入力が行なわれる。
　【００８７】
　スタンプ画像２４を入力する際には、スタンプ画像２４のアイコン２１ｂをタッチペン１２の先端でタップしてから、タッチペン１２の先端を、第１ディスプレイ８ａに表示された撮影画像２２の上に接触させることにより、スタンプ画像２４の入力が行なわれる。
　【００８８】
　アルファベット等の文字を入力する際には、アルファベット文字のアイコン２１ｃをタッチペン１２の先端でタップしてから、タッチペン１２の先端を、第１ディスプレイ８ａに表示された撮影画像２２の上に接触させることにより、アルファベット文字の入力が行なわれる。
　【００８９】
　このようにして、図６に示すように、手書き画像２３やスタンプ画像２４等が入力され、表示された撮影画像２２の上に合成される。
　【００９０】
　そして、上記手書き画像２３等の入力は、タイマ（図示せず）の計測時間があらかじめ設定された所定の入力可能時間（例えば９０秒等）に達するまで続けられる。上記タイマが規定の入力可能時間に達すると、手書き画像２３等の入力が停止され、印刷の際のシートレイアウトが選択される。ここでのシートレイアウトの選択は、第１ディスプレイ８ａの表示部３６にシートレイアウトの見本画面が表示され、タッチペン１２の操作により所望のシートレイアウトを選択することが行なわれる。
　【００９１】
　ついで、シートレイアウトの選択が終了すると、合成画像の画像データが読取手段１６で記憶媒体１４から読み取られた補正値とともにプリンタ９に送られ、選択されたシートレイアウトにより印刷が開始される。このとき、プリンタ９の補正手段１８は、上記補正値に基づいて印刷状態が適正になるように補正を行なう。具体的には、例えば、印刷媒体１５のＹ発色層，Ｍ発色層，Ｃ発色層をそれぞれ感熱発色させる印刷ヘッドの駆動条件を、入力された画像データに対してどの色を強くあるいは弱く発色させるかという補正値に基づいて補正することが行なわれる。
　【００９２】
　印刷が終了すると、印刷された印刷媒体１５（写真プリント）が出力される。ここで、シートレイアウトの一例を図７に示す。この例では、写真プリントとしてシールプリントに出力した例を示しており、符号２５は写真シールである。
　【００９３】
　このように、上記画像プリント作成装置によれば、供給された印刷媒体１５に感度の変動があったとしても、上記感度変動情報を記憶媒体１４から読み取ってプリンタ９による印刷状態が適正になるよう補正できる。したがって、印刷媒体１５が製造時から期間が経過して感度に経時変化が現れたり製造ロットごとの感度バラツキがあったりしても適正な印刷を実現でき、従来のように色調や濃度が正常に現れないという不都合が発生しない。しかも、印刷状態の補正を自動的に行なえることから、従来のようにプリンタの設定を人手によって調整したり、画像プリント作成装置自体をメンテナンスモードにして調整したりするような手作業による補正作業の必要がなくなる。
　【００９４】
　図８は、本発明の第２の実施の形態を示す。この画像プリント作成装置は、プリンタ９に補正手段１８が設けられていない。そして、制御装置としてのコンピュータ装置７に、補正手段として、読取手段１６で読み取られた感度変動情報に基づいてプリンタ９に入力する画像データを補正する画像データ補正手段３７が設けられている。それ以外は、上記第１の実施の形態と同様であり同様の部分には同じ符号を付している。
　【００９５】
　この実施の形態によれば、補正手段１８をもたないプリンタ９を用いた場合でも、感度変動情報に応じてプリンタ９に入力する画像データを補正することにより、印刷状態が適正になるよう補正されて適正な印刷結果が得られる。例えば、印刷媒体１５におけるＹ（イエロー），Ｍ（マゼンタ），Ｃ（シアン）の各色に対応して基準値に比べてどの色を強くあるいは弱く発色させるかという補正値を記憶媒体１４から読み取った場合、上記ＹＭＣ系の補正値を画像データで用いられるＲＧＢ系における補正値に換算し、上記換算後の補正値による補正がなされたＲＧＢ系の画像データをプリンタ９に入力することにより適正な印刷を実現することができる。それ以外は上記第１の実施の形態と同様の作用効果を奏する。
　【００９６】
　上記各実施の形態の画像プリント作成方法は、コンピュータ装置において実行させるプログラムにより実現され、上記プログラムはコンピュータ読み取り可能な記憶媒体に記憶されて提供されたり通信回線を介してオンラインで提供されたりする。
　【００９７】
　なお、上記各実施の形態の画像プリント作成装置において、合成画像を印刷するかわりに、送受信手段により通信回線を介して外部に出力し、外部のサーバに格納したり端末装置等に出力して表示したり、あるいは外部で印刷したりすることもできる。
　【００９８】
　また、上記各実施の形態では、プリンタ９としてサーモオートクローム方式のものを用いたが、これに限定するものではなく、印刷媒体１５に経時変化や製造時バラツキ等による感度変動が生じ得るものであれば、各種の方式のプリンタを適用することができる。特に、熱，紫外線，空気中の酸素や水分等の雰囲気などに影響されて品質が変動する印刷媒体が用いられるプリンタにおいて絶大な効果が得られる。また、プリンタ９からの印刷媒体１５の送出口１９は、筐体１の前面以外に設けることもできる。
　【００９９】
　また、上記各実施の形態では、出力する写真プリントがシールプリントである例を示したが、これに限定するものではなく、カード等として出力するものも含む趣旨であり、印刷媒体１５の構成を限定する趣旨ではない。
　【０１００】
　また、上記各実施の形態では、硬貨の投入により撮影を開始するようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。また、本発明は、対価の支払を要求しない態様の画像プリント作成装置も含む趣旨である。
　【０１０１】
　【発明の効果】
　以上のように、本発明によれば、供給された印刷媒体に感度の変動があったとしても、上記感度変動情報を記憶媒体から読み取ってプリンタによる印刷状態が適正になるよう補正できる。したがって、印刷媒体が製造時から期間が経過して感度に経時変化が現れたり製造ロットごとの感度バラツキがあったりしても適正な印刷を実現でき、従来のように色調や濃度が正常に現れないという不都合が発生しない。しかも、印刷状態の補正を自動的に行なえることから、従来のようにプリンタの設定を人手によって調整したり、画像プリント作成装置自体をメンテナンスモードにして調整したりするような手作業による補正作業の必要がなくなる。
　また、上記記憶媒体を、セットで供給される印刷媒体の感度変動情報だけでなく、当該印刷媒体の印刷可能枚数を記憶させ、上記印刷可能枚数だけ印刷出力を可能として稼動を停止することにより、感度変動情報を持たない印刷媒体が画像プリント装置で使用されるのを防止できる。この結果、印刷媒体の感度変動に対する補正が行なわれないままプリントが印刷出力されるのが防止され、色調や濃度が正常に現れないプリントの出力を確実に防止できる。このように、ゲームセンター等が独自に入手した印刷媒体が使用されるのを防止でき、確実に適正な印刷出力を行なうことができる。
【図面の簡単な説明】
　【図１】
　本発明の画像プリント作成装置の一実施の形態を示す縦断面図である。
　【図２】
　上記画像プリント作成装置の筐体を示す正面図である。
　【図３】
　上記画像プリント作成装置のシステム構成図である。
　【図４】
　本発明の印刷媒体と記憶媒体の供給セットの製造方法の一工程を示す説明図である。
　【図５】
　手書き画像等の入力画面の一例を示す図である。
　【図６】
　手書き画像等の入力状態の一例を示す図である。
　【図７】
　合成画像をシールプリントに出力した状態の一例を示す図である。
　【図８】
　本発明の画像プリント作成装置の第２の実施の形態を示すシステム構成図である。
　【図９】
　従来例を示す断面図である。
　【符号の説明】
　　１　筐体
　　２　被写体／使用者
　　３　支柱
　　４　ライト
　　５　カーテン
　　６　カメラ
　　７　コンピュータ装置
　　８　ディスプレイ
　　８ａ　第１ディスプレイ
　　８ｂ　第２ディスプレイ
　　９　プリンタ
　１０　透明板
　１１　ストロボ
　１２　タッチペン
　１３　後壁
　１４　記憶媒体
　１５　印刷媒体
　１６　読取手段
　１７　硬貨検出部
　１８　補正手段
　１９　送出口
　２０　硬貨投入口
　２１ａ　アイコン
　２１ｂ　アイコン
　２１ｃ　アイコン
　２２　撮影画像
　２３　手書き画像
　２４　スタンプ画像
　２５　写真シール
　２６　巻芯
　２７　バーコード
　２８　バーコードリーダ
　３１　制御手段
　３２　補正条件演算部
　３３　出力枚数制限部
　３４　印刷制御部
　３５　入力部
　３６　表示部
　３７　画像データ補正手段
　３８　画像合成手段